(57)【特許請求の範囲】
【請求項１】
下ケース及び該下ケースの上部に重ね合わせる上ケースにより、磁気テープを巻装した単一のリールを回転可能に収容するカートリッジケースを備え、前記磁気テープの先端に該磁気テープを引き出すためのリーダピンが固着され、該リーダピンの両端部が前記カートリッジケースの開口部内の凹部に係止されてなる磁気テープカートリッジにおいて、
前記凹部は平坦で上下の間隔が前記リーダピンの長さに設定され、該凹部から開口部の開口端に至る間に、上下方向の間隔が広がるように変化するガイド面が形成され、さらに、前記開口部を開閉するスライドドアが、前記ガイド面を横切って開閉移動するように設置され、該スライドドアの上下端縁が前記ガイド面の形状に合致する形状に形成されたことを特徴とする磁気テープカートリッジ。
【請求項２】
下ケース及び該下ケースの上部に重ね合わせる上ケースにより、磁気テープを巻装した単一のリールを回転可能に収容するカートリッジケースを備え、前記磁気テープの先端に該磁気テープを引き出すためのリーダピンが固着され、該リーダピンの両端部が前記カートリッジケースの開口部内の凹部に係止されてなる磁気テープカートリッジにおいて、
前記凹部は平坦で上下の間隔が前記リーダピンの長さに設定され、該凹部から開口部の開口端に至る間に、上下方向の間隔が広がるように変化するガイド面が形成され、さらに、前記ガイド面にはリーダピンの挿入経路に沿って延びる凹溝が形成されたことを特徴とする磁気テープカートリッジ。
【請求項３】
前記ガイド面に摩擦低減加工が施されたことを特徴とする請求項１または２に記載の磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容し、この磁気テープの先端に該磁気テープを引き出すためのリーダピンを固着してなる磁気テープカートリッジにおいて、上記リーダピンを格納係止する開口部分の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはリーダ部材（本発明ではリーダピン）が固着され、このリーダ部材をコンピュータ側で引き出して巻き取り又は巻き戻しを行うようにドライブ装置が構成される。
【０００４】
【発明が解決しようとする課題】
しかして、前記リーダピンをカートリッジケースの開口部から内部の凹部に着脱可能に係止する場合に、その格納が安定して確実に行えるようにして信頼性を高める必要がある。
【０００５】
上記点から開口端から凹部に対してリーダピンの挿入を案内するガイド面を設けることが好適であるが、ガイド面の傾斜が短く急であるとリーダピンの案内作用が十分に得られない恐れがある。
【０００６】
例えば、前記カートリッジケースにはリーダピンが挿通する開口部を閉塞するスライドドアを設ける場合があり、このスライドドアが摺動する部分については平坦に設けてスライドドアの両端縁が平坦接触するようにした場合に、前記ガイド面は短く傾斜が急となる。
【０００７】
また、ガイド面を設けても、これを滑らかにリーダピンが移動しないと案内作用が十分に得られない恐れもある。
【０００８】
本発明は上記点に鑑みなされたもので、リーダピンを挿入係止する凹部に対する格納移動を安定して確実に行えるようにした磁気テープカートリッジを提供せんとするものである。
【０００９】
【課題を解決するための手段】
上記課題を解決した本発明の磁気テープカートリッジは、下ケース及び該下ケースの上部に重ね合わせる上ケースにより、磁気テープを巻装した単一のリールを回転可能に収容するカートリッジケースを備え、前記磁気テープの先端に該磁気テープを引き出すためのリーダピンを固着し、該リーダピンの両端部を前記カートリッジケースの開口部内の凹部に係止したもので、前記凹部は平坦で上下の間隔が前記リーダピンの長さに設定され、該凹部から開口部の開口端に至る間に、上下方向の間隔が広がるように変化するガイド面を形成し、さらに、前記開口部を開閉するスライドドアを、前記ガイド面を横切って開閉移動するように設置し、該スライドドアの上下端縁を前記ガイド面の形状に合致する形状に形成したことを特徴とするものである。
【００１１】
前記ガイド面は直線的に高さが変化する傾斜面で構成するほか、曲線的に高さが変化する曲面で構成してもよく、これに応じて、スライドドアの上下端縁はガイド面の形状に合致する傾斜面又は曲面に設けるものである。
【００１２】
さらに、前記ガイド面にはリーダピンの挿入経路に沿って延びる凹溝を形成してもよい。この凹溝はガイド溝の幅の全部又は一部に設け、溝の深さが挿入経路に沿って変化するようにしてもよく、さらに、凹溝の底形状はＶ溝又はＵ溝のいずれでもよい。
【００１３】
一方、前記ガイド面に摩擦低減加工を施してもよい。この摩擦低減加工は、微小凹凸を形成するシボ加工を施すか、潤滑剤を塗布するか、低摩擦層の形成によって行うものである。また、前記スライドドアが摺動する面にも同様の摩擦低減加工を施すのが好ましい。
【００１４】
【発明の効果】
上記のような本発明によれば、磁気テープを巻装した単一のリールを回転可能にカートリッジケースに収容し、磁気テープの先端に固着したリーダピンの両端部をカートリッジケースの開口部内の凹部に係止し、上記凹部は平坦で上下の間隔がリーダピンの長さであり、この凹部から開口端に至る間に上下方向の間隔が広がるように変化するガイド面を設け、さらに、開口部を開閉するスライドドアの上下端縁をガイド面の形状に合致する形状に形成したことにより、ガイド面の長さが長くなって高さ変化が緩くなり、凹部へのリーダピンの案内が無理なく確実に行うことができると共に、スライドドアの開閉についても良好な摺動及び閉塞が行え、信頼性を高めることができる。
【００１６】
さらに、前記ガイド面にリーダピンの挿入経路に沿って延びる凹溝を形成したものでは、リーダピンの端部がこの凹溝に案内されて滑らかに正規位置に格納可能となる。また、ガイド面に摩擦低減加工を施したものも、同様にリーダピンが滑らかに移動して正規位置に格納可能となる。
【００１７】
【発明の実施の形態】
以下、図面に示す実施の形態に基づいて本発明を詳細に説明する。図１は一つの実施の形態の磁気テープカートリッジの分解斜視図である。
【００１８】
磁気テープカートリッジ１は、下リール５と上リール６とを超音波溶着により結合した単一のリール４に磁気テープ２０を巻装し、上ケース２と下ケース３とがビス等により締結されてなるカートリッジケース７内に、上記リール４を回動可能に収容して構成されている。
【００１９】
下リール５は外周に磁気テープ２０が巻回される円筒状のリールハブ２３と、リールハブ２３の下端外周から径方向に張り出したフランジ部２４とを合成樹脂により一体成型したもので、リールハブ２３の底部外面にリール４を回転駆動するマグネット式の回転駆動手段を吸引保持させるためのリールプレート８が取り付けられる。またリールハブ２３の底部内面には、ブレーキボタン９に形成された制止用ギア９Ａと係合して不使用時の回転を拘束する制止用ギア２３Ａが刻設されている。また、リールハブ２３には、磁気テープカートリッジ１を使用する外部記憶装置等の記録再生装置に設けられたドライブ解除スピンドルが挿通されてブレーキボタン９を上方へ移動させるための開口２３Ｂが形成されている。
【００２０】
ブレーキボタン９は、リールハブ２３と対向する側に上述した制止用ギア９Ａが形成されており、それとは反対側に上ケース２に形成されたブレーキガイド突起が嵌合される嵌合溝９Ｂが形成されている。そして、ブレーキボタン９はコイルバネ１０により図中下方に付勢された状態でリールハブ２３内部に装着されており、ブレーキボタン９とリールハブ２３との制止用ギア９Ａ，２３Ａが噛み合ってリール４の不使用時における回転が防止されている。一方、カートリッジ使用時は、磁気テープ装置のドライブ解除スピンドルがブレーキボタン９を押圧すると、ブレーキボタン９がコイルバネ１０の付勢力に抗して図中上方へ移動し、これにより制止用ギア９Ａ，２３Ａの係合が解除され、リール４が回転自在とされる。
【００２１】
カートリッジケース７の一側壁には、磁気テープ２０を引き出すための開口部２６が形成されている。開口部２６にはカートリッジケース７の側壁に平行な矢印Ａ方向に移動可能なスライドドア２７が取り付けられている。スライドドア２７は不図示のバネにより、開口部２６を閉じる方向に付勢されている。
【００２２】
また、磁気テープカートリッジ１はその不使用時に磁気テープ２０が完全にリール４に巻き込まれた状態で、磁気テープ２０の端部に取り付けられたリーダピン２１が開口部２６の近傍に形成された凹部２８に係止される。
【００２３】
そして、磁気テープカートリッジ１が対応する外部記録装置等の記録再生装置にセットされると、上述したようにブレーキボタン９とリールハブ２３との制止用ギア９Ａ，２３Ａの係止が解除されてリール４が回転自在とされると共に、マグネット式の回転駆動手段がリールプレート８を吸引した状態でリール４を回転駆動する。これと共に、スライドドア２７が開かれてリーダピン２１がテープ走行路の所定位置に引き込まれ、磁気テープ２０へのデータの読み書きが可能となる。
【００２４】
前記リーダピン２１は、磁気テープカートリッジ１を使用する記録再生装置が磁気テープ２０を装置内のテープ走行路に導入するために保持して引き込むものであり、このリーダピン２１を前記凹部２８に着脱可能に保持するバネ部材３０（図２参照）が設置されている。
【００２５】
リーダピン２１は図３に示すように、磁気テープ２０の先端部が固着される中央軸部２１ａの両側に記録再生装置側から係合保持される細軸部２１ｂが形成され、その両端部にケース固定用のフランジ２１ｃが形成されている。この両端のフランジ２１ｃが開口部２６近傍の上下ケース２，３内壁に形成されたガイド面２９で案内され、内部の凹部２８にそれぞれ挿入係止されると共に、上下ケース２，３の上下壁面にそれぞれ取り付けられたバネ部材３０によって両フランジ２１ｃが着脱可能に保持される。なお、前記フランジ２１ｃの端面は角部が面取りされてガイド面２９による案内が容易に行えるようにしている。
【００２６】
前記バネ部材３０は図２に示すように、線バネ（又は板バネ）によって湾曲基部３０ａから２つの腕部３０ｂ、３０ｃが略平行に延びた略Ｕ字状に形成され、一方の腕部３０ｂの先端に保持部３０ｄが設けられ、他方の腕部３０ｃは略直線状である。上記保持部３０ｄは山形に突出し両側の斜面で移動するリーダピン２１のフランジ２１ｃの外周に当接して撓み変形し、該フランジ２１ｃを凹部２８内に押圧係止する。湾曲基部３０ａは上下ケース２，３に立設された固定ピン３１に係合固定される。
【００２７】
また、前記カートリッジケース７の開口部２６において、その開口端から内部の前記凹部２８に向けて形成されたガイド面２９は、図３に示すように傾斜面で構成されている。凹部２８は上下ケース２，３の内面と平行な平坦面に形成され、上下の間隔が前記リーダピン２１の長さに設けられている。
【００２８】
一方、前記ガイド面２９は、上記凹部２８から開口部２６の開口端に向けて、上下方向の間隔が広がるように直線的に変化する連続する傾斜面で構成されている。このガイド面２９を横切るように前記スライドドア２７が開閉移動するものであり、このスライドドア２７の上下端縁２７ａは摺動部分のガイド面２９のテーパ形状に合致するテーパ形状に形成されている。上記ガイド面２９の両側には上記スライドドア２７が移動する摺動溝３７が形成されている。
【００２９】
上記のような構造のカートリッジケース７のスライドドア２７によって開かれた開口部２６から引き出されたリーダピン２１は、磁気テープ２０の巻き戻しに応じてカートリッジケース７内に格納されるときには、上下方向の位置がカートリッジケース７の中心位置とずれていても、リーダピン２１のフランジ２１ｃの端面がテーパ形状のガイド面２９に当接して案内され、内部の凹部２８に引き込まれて係止され、バネ部材３０によって保持される。そして、スライドドア２６が閉作動して開口部２６を塞ぎ、塵埃の侵入防止を行う。
【００３０】
なお、前記実施の形態においては、ガイド面２９は直線的に高さが変化するテーパ状傾斜面で構成されているが、曲線的に高さが変化する曲面で構成してもよく、これに応じて、スライドドア２７の上下端縁２７ａはガイド面の形状に合致する曲面に設けるものである。
【００３１】
図４は他の実施の形態におけるガイド面２９を示すものであり、このガイド面２９には平坦な凹部２８から開口部２６の開口端に至る部分に、挿入経路に沿って延びるＶ溝形状の凹溝３３が設けられている。
【００３２】
上記凹溝３３はガイド面２９の幅全体に形成され、開口端から凹部２８に至るに従って浅くなるように傾斜して設けられると共に、リーダピン２１の挿入経路に沿う幅方向の中心部が深く両側が傾斜面に設けられている。
【００３３】
この実施の形態のガイド面２９によれば、開口部２６から挿入されたリーダピン２１は、端部が凹溝３３によって挿入経路の中心部分を移動するように案内され、またその接触は滑らかでリーダピン２１に倒れが生起することなく凹部２８に確実に安定して格納される。
【００３４】
図５はさらに他の実施の形態におけるガイド面２９を示すものであり、このガイド面２９には平坦な凹部２８から開口部２６の開口端に至る部分に、挿入経路に沿って延びるＶ溝形状の凹溝３４が設けられている。
【００３５】
上記凹溝３４はガイド面２９の凹部２８側で狭く開口端側で広く形成され、リーダピン２１の挿入経路に沿う幅方向の中心部が深く両側が傾斜面に設けられている。
【００３６】
この実施の形態のガイド面２９によれば、開口部２６から挿入されたリーダピン２１は、端部が凹溝３４によって挿入経路の中心部分を移動するように案内され、その内部への移動に伴ってリーダピン２１の周縁部が凹溝３４から側方の平坦部に乗り上げて移動し、凹部２８に滑らかに安定して確実に格納される。
【００３７】
図６は他の実施の形態におけるガイド面２９の断面構造を示すものであり、スライドドア２７が摺動する面で切断した構造であり、このガイド面２９は図３に示すように凹部２８から開口部２６の開口端に向けて傾斜形成されたもので、その挿入経路に沿って図６(Ａ)ではＶ溝による凹溝３５が、図６(Ｂ)では凹面状のＵ溝による凹溝３６が、ガイド面２９の幅に対して中心部の一部に形成されたものである。
【００３８】
前記ガイド面２９に対するリーダピン２１の挿入経路に沿って延びる上記凹溝３５，３６の形成により、格納移動するリーダピン２１の先端部が該凹溝３５，３６によって案内され、安定した移動が行われる。
【００３９】
なお、図４及び図５に示した実施の形態においても凹溝３３，３４の断面はＶ溝に代えて凹面状のＵ溝で構成してもよい。
【００４０】
一方、詳細は図示していないが、前述のような各実施の形態におけるガイド面２９及びスライドドア２７の摺動溝３７の表面には摩擦低減加工を施して、より一層滑らかにリーダピン２１又はスライドドア２７が移動するように設けてもよい。
【００４１】
上記摩擦低減加工としては、リーダピン２１又はスライドドア２７との接触面積を低減するために、ガイド面２９及び摺動溝３７にシボ加工による微小凹凸を形成する。すなわち、成形金型のガイド面２９及び摺動溝３７の成形面に微小凹凸を形成するものである。又は、上記ガイド面２９及び摺動溝３７にシリコーン等の潤滑剤を塗布する。又は、ガイド面２９及び摺動溝３７の表面部にインサート成形、溶着、貼付等によって表面に低摩擦面を有するシート材を配設して低摩擦層を形成するものである。
【図面の簡単な説明】
【図１】本発明の一つの実施の形態による磁気テープカートリッジの分解斜視図
【図２】カートリッジケースの開口部近傍の断面平面図
【図３】図２のＸ−Ｘ線に沿う断面図
【図４】ガイド面の他の実施の形態を示す要部斜視図
【図５】ガイド面のさらに他の実施の形態を示す要部斜視図
【図６】ガイド面の他の実施の形態を示す要部断面図
【符号の説明】
１    磁気テープカートリッジ
２    上ケース
３    下ケース
４    リール
７    カートリッジケース
２０    磁気テープ
２１    リーダピン
２１ｃ    フランジ
２６    開口部
２７    スライドドア
２８    凹部
２９    ガイド面
３０    バネ部材
３３〜３６    凹溝
３７    摺動溝
【図１】
0003905220.tif 000002
【図２】
0003905220.tif 000003
【図３】
0003905220.tif 000004
【図４】
0003905220.tif 000005
【図５】
0003905220.tif 000006
【図６】
0003905220.tif 000007